(57)【要約】【課題】チョークコイルの位置ずれを抑制するとともに、チョークコイルを組み付けるための組付け工数の増大及び部品点数の増大を抑制することができるモータを提供する。【解決手段】ブラシホルダ３１にて給電ブラシ４１が保持されている。チョークコイル５１は、コイル状をなす巻線部５２、巻線部５２に挿入され巻線部５２の軸方向の長さよりも長く巻線部５２から巻線部５２の軸方向に突出した突出部５５ａを有する鉄心５５、巻線部５２の軸方向の一端から延びる第１接続部５３、及び巻線部５２の軸方向の他端から延びる第２接続部５４を有する。給電ターミナル６１は、突出部５５ａを保持する鉄心保持部６２を有しブラシホルダ３１に組み付けられ第２接続部５４が接続されている。【選択図】図１
2015043685.tif 000002
【特許請求の範囲】
【請求項１】
給電ブラシを保持するブラシホルダと、
コイル状をなす巻線部、前記巻線部に挿入され前記巻線部の軸方向の長さよりも長く前記巻線部から前記巻線部の軸方向に突出した突出部を有する鉄心、前記巻線部の軸方向の一端から延びる第１接続部及び前記巻線部の軸方向の他端から延びる第２接続部を有するチョークコイルと、
前記ブラシホルダに組み付けられ前記第１接続部及び前記第２接続部の何れか一方が接続される給電ターミナルとを備え、
前記給電ターミナルと前記ブラシホルダとの少なくとも一方は、前記突出部を保持する鉄心保持部を有することを特徴とするモータ。
【請求項２】
給電ブラシを保持するブラシホルダと、
コイル状をなす巻線部、前記巻線部に挿入され前記巻線部の軸方向の長さよりも長く前記巻線部から前記巻線部の軸方向に突出した突出部を有する鉄心、前記巻線部の軸方向の一端から延びる第１接続部及び前記巻線部の軸方向の他端から延びる第２接続部を有するチョークコイルと、
前記突出部を保持する鉄心保持部を有し前記ブラシホルダに組み付けられ前記第１接続部及び前記第２接続部の何れか一方が接続される給電ターミナルと
を備えたことを特徴とするモータ。
【請求項３】
請求項２に記載のモータにおいて、
前記鉄心保持部は、前記巻線部における前記第１接続部側の端部から突出した前記突出部を保持し、
前記第２接続部が前記給電ターミナルに接続されていることを特徴とするモータ。
【請求項４】
請求項２又は請求項３に記載のモータにおいて、
前記鉄心保持部は、前記突出部を前記巻線部の軸方向と直交する方向に沿って挿入可能に開口した開口部を備えた鉄心保持凹部を有することを特徴とするモータ。
【請求項５】
請求項４に記載のモータにおいて、
前記鉄心保持凹部の前記開口部は、前記ブラシホルダと対向する方向に開口していることを特徴とするモータ。
【請求項６】
請求項１に記載のモータにおいて、
前記鉄心保持部は、前記給電ターミナルと前記ブラシホルダとの両者に設けられるものであり、
前記突出部は、前記給電ターミナルと前記ブラシホルダとに設けられた前記鉄心保持部によって挟持されて保持されることを特徴とするモータ。
【請求項７】
請求項１乃至請求項６の何れか１項に記載のモータにおいて、
前記給電ブラシには、前記給電ブラシに電力を供給するためのピッグテールが接続されており、
前記第１接続部及び前記第２接続部のうち前記給電ターミナルに接続されない方の接続部は、前記ピッグテールに直接接続されていることを特徴とするモータ。
【発明の詳細な説明】
【技術分野】
【０００１】
本発明はモータに関するものである。
【背景技術】
【０００２】
例えば特許文献１に記載されているように、モータには、雑音を防止するためのチョークコイルを備えたものがある。
特許文献１に記載されたモータでは、チョークコイルには２本の接続部が形成されている。そして、一方の接続部は給電ブラシに接続されたピッグテールに結線され、他方の接続部はリード線に結線されている。尚、給電ブラシは、有底筒状をなすヨークハウジングの開口部を閉塞するように配置されたブラシホルダに設けられたブラシ保持部にて保持されている。そして、リード線に接続される他方の接続部は、ブラシホルダの方へ延びている。
【０００３】
また、特許文献１には、磁性体を介してチョークコイルをブラシホルダに固定する例が記載されている。この例では、チョークコイルは、磁性体に取り付けられており、この磁性体がブラシホルダに固定されている。そして、チョークコイルの一方の接続部は、接着等によりブラシホルダに固定され、他方の接続部は、ブラシホルダに固定された固定部材によってピッグテールと共にかしめられて同ピッグテールに接続されている。
【先行技術文献】
【特許文献】
【０００４】
【特許文献１】特開平６−３１１７０８号公報
【発明の概要】
【発明が解決しようとする課題】
【０００５】
しかしながら、特許文献１に記載されているように、チョークコイルの一方の接続部をピッグテールに接続し、他方の接続部をリード線に接続した場合、ピッグテール及びリード線は何れも湾曲しやすいフレキシブルな部品であるため、モータの内部でチョークコイルの位置が定まり難くなる。そのため、モータの駆動時にチョークコイルが振動し、その結果、チョークコイルがモータの内部で位置ずれするおそれがある。そして、チョークコイルが位置ずれすると、チョークコイルの一方の接続部とピッグテールとの接続部分、並びに他方の接続部とリード線との接続部分に負荷がかかり、各接続部分において接続不良が発生するおそれがある。この場合、チョークコイルを保持する専用の部品をモータの内部に設けることが考えられるが、部品点数の増加及び組付け工数の増加に繋がってしまう。
【０００６】
また、特許文献１に記載されているように、ブラシホルダに固定された固定部材によってチョークコイルの他方の接続部をピッグテールと接続した場合には、当該他方の接続部は固定部材にて支持されるためモータの内部で位置ずれし難くなる。しかしながら、他方の接続部とピッグテールとを接続するための専用の部品である固定部材を使用するため、部品点数が増加してしまう。更に、固定部材によって他方の接続部とピッグテールとを接続する工程と、固定部材をブラシホルダに固定する工程とが必要になるため、組付け工数が増加してしまう。
【０００７】
本発明は、上記課題を解決するためになされたものであって、その目的は、チョークコイルの位置ずれを抑制するとともに、チョークコイルを組み付けるための組付け工数の増大及び部品点数の増大を抑制することができるモータを提供することにある。
【課題を解決するための手段】
【０００８】
上記課題を解決するモータは、給電ブラシを保持するブラシホルダと、コイル状をなす巻線部、前記巻線部に挿入され前記巻線部の軸方向の長さよりも長く前記巻線部から前記巻線部の軸方向に突出した突出部を有する鉄心、前記巻線部の軸方向の一端から延びる第１接続部及び前記巻線部の軸方向の他端から延びる第２接続部を有するチョークコイルと、前記ブラシホルダに組み付けられ前記第１接続部及び前記第２接続部の何れか一方が接続される給電ターミナルとを備え、前記給電ターミナルと前記ブラシホルダとの少なくとも一方は、前記突出部を保持する鉄心保持部を有している。
【０００９】
この構成によれば、チョークコイルは、自身の鉄心の突出部がブラシホルダに組付の給電ターミナルとブラシホルダとの少なくとも一方に設けた鉄心保持部にて保持される。従って、チョークコイルの中でもフレキシブルな部品でない鉄心部分を鉄心保持部にて保持することで、チョークコイルの位置ずれを抑制した保持が可能である。また、鉄心保持部は、給電ターミナルやブラシホルダの一部に設けられるものであるため、チョークコイルの保持のための専用の部品を別途設けなくてもよい。従って、ブラシホルダにチョークコイルを組み付けるための組付け工数の増大及び部品点数の増大を抑制することができる。
【００１０】
上記課題を解決するモータは、給電ブラシを保持するブラシホルダと、コイル状をなす巻線部、前記巻線部に挿入され前記巻線部の軸方向の長さよりも長く前記巻線部から前記巻線部の軸方向に突出した突出部を有する鉄心、前記巻線部の軸方向の一端から延びる第１接続部及び前記巻線部の軸方向の他端から延びる第２接続部を有するチョークコイルと、前記突出部を保持する鉄心保持部を有し前記ブラシホルダに組み付けられ前記第１接続部及び前記第２接続部の何れか一方が接続される給電ターミナルとを備えた。
【００１１】
この構成によれば、チョークコイルは、第１接続部及び第２接続部の何れか一方が給電ターミナルに接続されるとともに、鉄心の突出部が給電ターミナルの鉄心保持部にて保持されている。従って、チョークコイルは２箇所で給電ターミナルにて保持されることになるため、給電ターミナルに対するチョークコイルの位置ずれが抑制される。更に、チョークコイルを２箇所で保持する給電ターミナルがブラシホルダに組み付けられるため、ブラシホルダに対するチョークコイルの位置ずれも抑制される。また、ブラシホルダに組み付けられる給電ターミナルにてチョークコイルを保持するため、チョークコイルをブラシホルダに保持するための専用の部品を別途設けなくてもよい。従って、ブラシホルダにチョークコイルを組み付けるための組付け工数の増大及び部品点数の増大を抑制することができる。
【００１２】
上記モータにおいて、前記鉄心保持部は、前記巻線部における前記第１接続部側の端部から突出した前記突出部を保持し、前記第２接続部が前記給電ターミナルに接続されていることが好ましい。
【００１３】
この構成によれば、給電ターミナルは、巻線部の軸方向の両側でチョークコイルを保持することになる。従って、給電ターミナルに対するチョークコイルの位置ずれ、及びブラシホルダに対するチョークコイルの位置ずれがより抑制される。
【００１４】
上記モータにおいて、前記鉄心保持部は、前記突出部を前記巻線部の軸方向と直交する方向に沿って挿入可能に開口した開口部を備えた鉄心保持凹部を有することが好ましい。
この構成によれば、巻線部の軸方向と直交する方向に沿って鉄心を移動させることにより容易に突出部を鉄心保持凹部に挿入することができる。従って、鉄心保持部への鉄心の組付けを容易に行うことができる。
【００１５】
上記モータにおいて、前記鉄心保持凹部の前記開口部は、前記ブラシホルダと対向する方向に開口していることが好ましい。
この構成によれば、給電ターミナルがブラシホルダに組み付けられた状態において、突出部は、ブラシホルダと鉄心保持部との間に位置することになる。従って、鉄心保持部からの突出部の脱落が抑制される。
【００１６】
上記モータにおいて、前記鉄心保持部は、前記給電ターミナルと前記ブラシホルダとの両者に設けられるものであり、前記突出部は、前記給電ターミナルと前記ブラシホルダとに設けられた前記鉄心保持部によって挟持されて保持されることが好ましい。
【００１７】
この構成によれば、突出部は、給電ターミナルの鉄心保持部とブラシホルダの鉄心保持部との両者によって挟持され保持される。従って、チョークコイル（鉄心）をより安定して保持することが可能となる。
【００１８】
上記モータにおいて、前記給電ブラシには、前記給電ブラシに電力を供給するためのピッグテールが接続されており、前記第１接続部及び前記第２接続部のうち前記給電ターミナルに接続されない方の接続部は、前記ピッグテールに直接接続されていることが好ましい。
【００１９】
この構成によれば、第１接続部若しくは第２接続部とピッグテールとの間に接続のための専用の部品が介在されないため、ブラシホルダにチョークコイルを組み付けるための組付け工数の増大及び部品点数の増大をより抑制することができる。そして、第１接続部及び第２接続部のうち一方の接続部を湾曲しやすいフレキシブルなピッグテールに直接接続しても、チョークコイルは、他方の接続部と突出部とが給電ターミナルによって保持されているため、モータの内部での位置ずれが抑制される。
【発明の効果】
【００２０】
本発明のモータによれば、チョークコイルの位置ずれを抑制するとともに、チョークコイルを組み付けるための組付け工数の増大及び部品点数の増大を抑制することができる。
【図面の簡単な説明】
【００２１】
【図１】（ａ）は一実施形態のモータの側面図、（ｂ）は一実施形態のモータの断面図（図１（ａ）における１−１断面図）。
【図２】（ａ）は同形態のブラシ装置の一部を示す平面図、（ｂ）はその右側面図。
【図３】同形態のモータの部分拡大断面図。
【図４】同形態のモータの回路図。
【図５】（ａ）は一変更例のブラシ装置の一部を示す平面図、（ｂ）はその右側面図、（ｃ）はその正面図。
【図６】（ａ）は一変更例のブラシ装置の一部を示す平面図、（ｂ）はその右側面図、（ｃ）はその正面図。
【図７】（ａ）は一変更例のブラシ装置の一部を示す平面図、（ｂ）はその右側面図、（ｃ）はその正面図。
【発明を実施するための形態】
【００２２】
以下、モータの一実施形態について説明する。
図１（ａ）に示す本実施形態のモータ１０は、ポンプ装置の駆動源として用いられるものである。図１（ａ）及び図１（ｂ）に示すように、モータ１０は、略有底円筒状をなすヨークハウジング１１（以下ヨーク１１とする）と、ヨーク１１の内部に収容された電機子１２と、ヨーク１１の開口部に配置されたブラシ装置１３とを備えている。
【００２３】
ヨーク１１は、円筒状をなす円筒部１１ａと、該円筒部１１ａの軸方向の一端を閉塞する略円板状の底部１１ｂとを有する。円筒部１１ａの内周面には複数の磁石１５が固着されている。また、ヨーク１１の内部において、複数の磁石１５の内側に前記電機子１２が配置されている。電機子１２は、回転軸２１と、回転軸２１に一体回転可能に固定された電機子コア２２と、該電機子コア２２に巻装された巻線２３と、回転軸２１に一体回転可能に固定された整流子２４とから構成されている。
【００２４】
回転軸２１は、円柱状をなすとともに、ヨーク１１の内部において同ヨーク１１の径方向の中央部に配置されて同ヨーク１１の軸方向に延びている。この回転軸２１の基端部（図１（ａ）において右側の端部）は、底部１１ｂの径方向の中央部に設けられた軸受１６によって回転可能に支持されている。電機子１２は、この回転軸２１を回転中心として周方向に回転可能である。また、回転軸２１の先端部（図１（ａ）において左側の端部）は、ヨーク１１の開口部から同ヨーク１１の外部に突出している。そして、回転軸２１の先端部には、円柱状をなす偏心軸部２１ａが設けられている。この偏心軸部２１ａの中心軸線Ａ１は、回転軸２１におけるヨーク１１の内部に配置された基端側の部分の回転軸線Ａ２からずれた位置で同回転軸線Ａ２と平行に延びている。また、偏心軸部２１ａには、該偏心軸部２１ａを軸支する偏心軸受１７が外嵌されている。
【００２５】
前記電機子コア２２は、回転軸２１に外嵌固定されるとともに、同電機子コア２２の外周面はヨーク１１の内部で前記磁石１５と径方向に対向している。また、前記整流子２４は、電機子１２よりも回転軸２１の先端側となる部分に外嵌固定されるとともに、ヨーク１１の開口部付近で同ヨーク１１の内部に配置されている。そして、整流子２４には、巻線２３が電気的に接続されている。
【００２６】
図１（ｂ）に示すように、ブラシ装置１３は、絶縁性の樹脂材料からなるブラシホルダ３１と、該ブラシホルダ３１にて保持される一対（２つ）の給電ブラシ４１等から構成されている。
【００２７】
ブラシホルダ３１は、円環状の板状をなす基部３２を有する。基部３２の外径は、ヨーク１１の開口部における内径と略等しく形成されている。そして、基部３２は、同基部３２の軸方向とヨーク１１の軸方向とが一致するようにヨーク１１の開口部に嵌め込まれている。また、図１（ａ）及び図１（ｂ）に示すように、基部３２は、その径方向の中央部に、前記回転軸２１の先端側の部分を回転可能に支持する軸受１８を保持している。この軸受１８は、回転軸２１における前記偏心軸部２１ａよりも同回転軸２１の基端寄りの部分を回転可能に支持している。そして、偏心軸部２１ａは、基部３２よりもヨーク１１の外側に配置されている。
【００２８】
基部３２の内側面３２ａ（即ちヨーク１１の内部側の側面）には、同基部３２と共にブラシホルダ３１を構成する一対のブラシ保持部３３が固定されている。各ブラシ保持部３３は、基部３２の内側面３２ａにおいて周方向に間隔を空けた２箇所に固定されている。本実施形態では、２つのブラシ保持部３３は、基部３２の内側面３２ａにおいて周方向に１８０°間隔となる２箇所に固定されている。また、各ブラシ保持部３３は、基部３２の内側面３２ａ上で径方向に延びるとともに、径方向と直交する断面の形状が基部３２の内側面３２ａ側に開口する略コ字状をなしている。そして、各ブラシ保持部３３の内側には、四角柱状をなす給電ブラシ４１と、給電ブラシ４１の後端部（径方向外側の端部）を径方向内側に付勢する付勢部材４２とが挿入されている。各給電ブラシ４１は、ブラシ保持部３３によって周方向の移動が規制される一方、同ブラシ保持部３３によって径方向の移動が案内される。更に、各給電ブラシ４１は、ブラシ保持部３３と基部３２とによって軸方向の移動が規制される。また、各給電ブラシ４１の先端部（径方向内側の端部）は、ブラシ保持部３３の径方向内側の端部から径方向内側に突出するとともに、前記整流子２４の外周面に摺接可能に押圧接触している。
【００２９】
また、各給電ブラシ４１には、給電ブラシ４１に電力を供給するためのピッグテール４３が接続されている。ピッグテール４３は、可撓性を有する導線から形成されている。そして、ピッグテール４３の長手方向の一端部が、給電ブラシ４１の後端部寄りの部分に接続されている。
【００３０】
また、各給電ブラシ４１に接続されたピッグテール４３の長手方向の他端部には、それぞれチョークコイル５１が接続されている。図２（ａ）に示すように、チョークコイル５１は導線から形成されている。そして、チョークコイル５１は、コイル状をなす巻線部５２と、巻線部５２の軸方向の一端（図２（ａ）において右側の端）から延びる第１接続部５３と、巻線部５２の軸方向の他端（図２（ａ）において左側の端）から延びる第２接続部５４と、巻線部５２に挿入された鉄心５５とから構成されている。
【００３１】
図２（ａ）及び図２（ｂ）に示すように、巻線部５２は、チョークコイル５１を構成する導線を螺旋状に巻いて形成されており、円筒状をなしている。第１接続部５３は、巻線部５２の軸方向の一端から巻線部５２の軸方向に対して直角をなすように延びた後、該第１接続部５３の先端が巻線部５２と反対側を向くように直角に屈曲されて巻線部５２の軸方向と平行に延びている。そして、第１接続部５３は、その先端部において、前記ピッグテール４３の長手方向の他端部と接続されている。第１接続部５３の先端部とピッグテール４３の長手方向の他端部とは、溶接により接続されている。また、第２接続部５４は、巻線部５２の軸方向の他端から巻線部５２の軸方向に対して直角をなすように且つその先端部が前記第１接続部５３と反対側を向くように延びている。
【００３２】
前記鉄心５５は、巻線部５２の内径と略等しい外径を有する円柱状をなしている。また、鉄心５５の軸方向の長さＬ１は、巻線部５２の軸方向の長さＬ２よりも長くなっている。この鉄心５５は、その軸方向と巻線部５２の軸方向とが同方向となるように巻線部５２の内側に挿入されている。そして、巻線部５２に挿入された鉄心５５における第１接続部５３側の端部は、巻線部５２における第１接続部５３側の端部から巻線部５２の外部に突出している。この鉄心５５において、巻線部５２における第１接続部５３側の端部から同巻線部５２の軸方向に突出した部分は、突出部５５ａとなっている。また、鉄心５５における第２接続部５４側の端部は、巻線部５２における第２接続部５４側の端部と略等しい位置に位置する。
【００３３】
図１（ｂ）に示すように、各チョークコイル５１の第２接続部５４には、それぞれ給電ターミナル６１が接続されている。各給電ターミナル６１は、導電性を有する金属板材にプレス加工を施して形成されており、略帯状をなしている。
【００３４】
図２（ａ）及び図２（ｂ）に示すように、給電ターミナル６１の長手方向の一端部（図２（ａ）において右側の端部）には、鉄心５５の突出部５５ａを保持する鉄心保持部６２が設けられている。鉄心保持部６２は、一対の規制保持部６２ａと、一対の規制保持部６２ａを連結する連結保持部６２ｂとを有する。一対の規制保持部６２ａは、それぞれ平板状をなすとともに、互いの間に鉄心５５の外径と略等しい間隔を有する。更に、一対の規制保持部６２ａは互いに平行をなしている。また、連結保持部６２ｂは、平板状をなすともに、一対の規制保持部６２ａの互いに対向する一辺を連結している。更に、連結保持部６２ｂは、２つの規制保持部６２ａに対して直角をなしている。また、各規制保持部６２ａにおける連結保持部６２ｂからの突出長さは、鉄心５５の半径よりも長く、本実施形態では鉄心５５の外径と略等しい長さとなっている。そして、本実施形態の鉄心保持部６２は、２つの規制保持部６２ａと直交し且つ連結保持部６２ｂと直交する一方向から見た形状（即ち図２（ｂ）に示す形状）がコ字状をなしている。このような鉄心保持部６２は、一対の規制保持部６２ａ及び連結保持部６２ｂによって形成される鉄心保持凹部６２ｃを有する。この鉄心保持凹部６２ｃの深さは、鉄心５５の半径よりも深くなっている。そして、鉄心保持凹部６２ｃの開口部６２ｄ（一対の規制保持部６２ａにおける連結保持部６２ｂと反対側の端部で開口した開口部であって、図２（ｂ）において右側に開口した開口部）は、突出部５５ａを巻線部５２の軸方向と直交する方向に沿って挿入可能に開口している。
【００３５】
また、鉄心保持部６２を構成する一対の規制保持部６２ａのうち一方の規制保持部６２ａ（後述の第１連結部６４から遠い方の規制保持部６２ａ）には、位置決め突起６３が一体に形成されている。この位置決め突起６３は、一方の規制保持部６２ａから給電ターミナル６１の長手方向の他端と反対方向に突出している。
【００３６】
また、一対の規制保持部６２ａのうち他方の規制保持部６２ａにおける連結保持部６２ｂと反対側の端部から第１連結部６４が延びている。第１連結部６４は平板状をなしている。そして、第１連結部６４は、他方の規制保持部６２ａと直角をなすとともに、連結保持部６２ｂと平行をなしている。また、第１連結部６４は、一対の規制保持部６２ａの対向方向に対して傾斜する方向に延びている。
【００３７】
第１連結部６４における鉄心保持部６２と反対側の端部には、チョークコイル接続部６５が一体に設けられている。即ち、第１連結部６４は、給電ターミナル６１の長手方向の略中央部に設けられたチョークコイル接続部６５と前記鉄心保持部６２とを連結している。チョークコイル接続部６５は、第１連結部６４に対して鉄心保持部６２が突出した方向と同方向に、第１連結部６４に対して僅かに突出している。
【００３８】
また、チョークコイル接続部６５における第１連結部６４と反対側の端部から第２連結部６６が延びている。第２連結部６６は平板状をなしている。そして、第２連結部６６は、その厚さ方向の両端面が、それぞれ前記第１連結部６４の厚さ方向の両端面と同一平面内に位置する。
【００３９】
第２連結部６６におけるチョークコイル接続部６５と反対側の端部には、給電部６７が一体に設けられている。即ち、第２連結部６６は、給電ターミナル６１の長手方向の他端部（図２（ａ）において左側の端部）に設けられた給電部６７と前記チョークコイル接続部６５とを連結している。給電部６７は、第２連結部６６に対して直角をなすように延びるとともに、帯状をなしている。給電部６７は、図２（ａ）においては、紙面奥側に延びている。
【００４０】
また、第２連結部６６には、前記チョークコイル接続部６５と給電部６７との間となる位置に、コンデンサ接続部６８が一体に設けられている。コンデンサ接続部６８は、第２連結部６６において給電ターミナル６１の幅方向の一端部となる位置に設けられている。そして、コンデンサ接続部６８は、第２連結部６６に対して直角をなすように給電部６７と反対方向に突出している。更に、コンデンサ接続部６８の先端部には、該コンデンサ接続部６８の先端から基端に向かって接続凹部６８ａが凹設されている。
【００４１】
そして、前記チョークコイル５１は、第２接続部５４がチョークコイル接続部６５に接続されるとともに、巻線部５２における第１接続部５３側の軸方向の端部から突出した鉄心５５の突出部５５ａが鉄心保持部６２にて保持された状態で上記した給電ターミナル６１に対して配置されている。第２接続部５４は、チョークコイル接続部６５における第１連結部６４及び第２連結部６６に対して突出した側の側面上に配置され、溶接によりチョークコイル接続部６５に直接接続されている。また、鉄心５５の突出部５５ａは、鉄心保持凹部６２ｃ内に挿入（即ち鉄心保持部６２内に配置）されることにより、一対の規制保持部６２ａ間に配置されている。更に、鉄心５５は、鉄心５５における第１接続部５３側の軸方向の端部（即ち突出部５５ａ側の端部）を、位置決め突起６３に合わせることで、給電ターミナル６１に対する位置決めがなされている。本実施形態では、鉄心５５における第１接続部５３側の端部が、位置決め突起６３と重なるように鉄心５５を給電ターミナル６１に対して配置することで、給電ターミナル６１に対する鉄心５５の位置決めがなされている。更に、位置決め突起６３を使用して給電ターミナル６１に対する鉄心５５の位置決めを行うことにより、給電ターミナル６１に対するチョークコイル５１の位置決めもなされる。
【００４２】
図１（ｂ）に示すように、前記基部３２の内側面３２ａには、一対のチョークコイル挿入部３５が形成されている。一対のチョークコイル挿入部３５は、基部３２の内側面３２ａにおいて、一対のブラシ保持部３３の一方側（図１（ｂ）において下側）の領域に形成されている。ここで、基部３２の径方向の中央を通り２つのブラシ保持部３３の長手方向と直交する直線を対称線Ｔとする。一対のチョークコイル挿入部３５は、対称線Ｔの両側に１つずつ形成されるとともに、ブラシ保持部３３と平行に延びる溝状をなしている。更に、一対のチョークコイル挿入部３５は、対称線Ｔを対称軸として対称に形成されている。因みに、一対のブラシ保持部３３も対称線Ｔを対称軸として対称に設けられている。各チョークコイル挿入部３５は、ヨーク１１の内部側に開口している。また、各チョークコイル挿入部３５の短手方向の幅は、巻線部５２の外径よりも若干広くなっている。
【００４３】
図１（ｂ）及び図３に示すように、ブラシ装置１３に備えられる２つのチョークコイル５１のうち一方のチョークコイル５１の第２接続部５４が接続された一方の給電ターミナル６１（図１（ｂ）において右側の給電ターミナル６１）は、一方のチョークコイル挿入部３５（図１（ｂ）において右側のチョークコイル挿入部３５）に一方のチョークコイル５１の巻線部５２をモータ１０の軸方向から挿入しつつ基部３２に組み付けられている。同様に、他方のチョークコイル５１の第２接続部５４が接続された他方の給電ターミナル６１（図１（ｂ）において左側の給電ターミナル６１）は、他方のチョークコイル挿入部３５（図１（ｂ）において左側のチョークコイル挿入部３５）に他方のチョークコイル５１の巻線部５２をモータ１０の軸方向から挿入しつつ基部３２に組み付けられている。尚、本実施形態のブラシ装置１３を製造するときには、各給電ターミナル６１にチョークコイル５１を組み付けてチョークコイル５１を給電ターミナル６１にて保持した後に、チョークコイル５１を保持した給電ターミナル６１を基部３２（ブラシホルダ３１）に組み付ける。そして、基部３２に組み付けられた各給電ターミナル６１は、鉄心保持凹部６２ｃの開口部６２ｄが基部３２と対向する方向（図１（ｂ）において紙面奥側）に開口している。また、各チョークコイル５１の第１接続部５３に接続されたピッグテール４３は、それぞれに接続された給電ブラシ４１との間の距離に応じて湾曲されている。そして、ブラシ装置１３を基部３２の内側面３２ａ側から見ると（即ち図１（ｂ）に示す状態）、一対のチョークコイル５１は、対称線Ｔを対称軸として線対称になっているとともに、一対の給電ターミナル６１は、対称線Ｔを対称軸として線対称になっている。また、図１（ａ）に示すように、各給電ターミナル６１の給電部６７は、基部３２を貫通してヨーク１１の外部に突出している。そして、２つの給電部６７におけるヨーク１１の外部に突出した部分は、基部３２からヨーク１１の外側に向かってモータ１０の軸方向に沿って延びる円柱状の端子保持部３６に挿入されて同端子保持部３６によって保持されている。また、２つの給電部６７の先端部は、端子保持部３６の先端部から突出しており、電源装置に接続される。
【００４４】
図１（ｂ）及び図３に示すように、基部３２の内側面３２ａ上において一対のチョークコイル５１の間となる部分には、一対のコンデンサ７１が配置されている。各コンデンサ７１は、一対の接続端子７１ａ，７１ｂを備えている。この一対のコンデンサ７１は、一対のチョークコイル５１の巻線部５２の間で対称線Ｔの両側に１つずつ配置されるとともに、第２連結部６６と隣り合っている。そして、各コンデンサ７１は、それぞれ隣り合う第２連結部６６に設けられた前記コンデンサ接続部６８の接続凹部６８ａに一方の接続端子７１ａが挿入されるとともに、当該接続端子７１ａが溶接等によりコンデンサ接続部６８に接続されている。また、各コンデンサ７１の他方の接続端子７１ｂは、基部３２の内側面３２ａ上で一対のコンデンサ７１との間に給電ターミナル６１を挟む位置に配置されたグランドターミナル７２に溶接等により接続されている。このグランドターミナル７２は、ヨーク１１に接続されており、ヨーク１１を介して接地（アース）されている。
【００４５】
図１（ｂ）及び図４に示すように、本実施形態のモータ１０においては、一方の給電ターミナル６１（図４において上側の給電ターミナル６１）は、当該一方の給電ターミナル６１に接続されたチョークコイル５１及び該チョークコイル５１に接続されたピッグテール４３を介して一方の給電ブラシ４１に接続されている。同様に、他方の給電ターミナル６１（図４において下側の給電ターミナル６１）は、当該他方の給電ターミナル６１に接続されたチョークコイル５１及び該チョークコイル５１に接続されたピッグテール４３を介して他方の給電ブラシ４１に接続されている。
【００４６】
次に、本実施形態のモータの作用について説明する。
一対の給電ターミナル６１に供給された電流は、チョークコイル５１及びピッグテール４３を介して給電ブラシ４１に供給され、更に、給電ブラシ４１から整流子２４を介して巻線２３に供給される。すると、電機子１２が回転する。このとき、チョークコイル５１及びコンデンサ７１は、巻線２３に供給される電流の雑音を除去する。
【００４７】
また、モータ１０においては、巻線部５２における第１接続部５３側の端部から突出した鉄心５５の突出部５５ａが給電ターミナル６１の鉄心保持部６２によって保持されるとともに、第２接続部５４が給電ターミナル６１のチョークコイル接続部６５に接続されている。そして、突出部５５ａは、鉄心保持部６２の一対の規制保持部６２ａによって、鉄心５５の径方向であって一対の規制保持部６２ａの対向方向となる方向の移動が規制される。更に、突出部５５ａは、連結保持部６２ｂによって、連結保持部６２ｂの厚さ方向であって鉄心５５の径方向である一方向の移動が規制される。また、第２接続部５４は、導線からなるピッグテール４３よりも剛性の高い金属板材から形成された給電ターミナル６１のチョークコイル接続部６５に溶接により直接接続されている。このように、チョークコイル５１は、巻線部５２の軸方向に離間した２箇所で給電ターミナル６１によって保持されている。そのため、チョークコイル５１は、給電ターミナル６１に対して位置ずれし難くなっている。そして、チョークコイル５１を保持した給電ターミナル６１がブラシホルダ３１に組み付けられているため、チョークコイル５１は、モータ１０の内部で振動し難くなっている。
【００４８】
上記したように、本実施形態によれば、以下の効果を有する。
（１）チョークコイル５１は、第２接続部５４が給電ターミナル６１に接続されるとともに、鉄心５５の突出部５５ａが給電ターミナル６１の鉄心保持部６２にて保持されている。従って、チョークコイル５１は巻線部５２の軸方向に離間した２箇所で給電ターミナル６１にて保持されることになるため、給電ターミナル６１に対するチョークコイル５１の位置ずれが抑制される。更に、チョークコイル５１を２箇所で保持する給電ターミナル６１がブラシホルダ３１に組み付けられるため、ブラシホルダ３１に対するチョークコイル５１の位置ずれも抑制される。また、ブラシホルダ３１に組み付けられる給電ターミナル６１にてチョークコイル５１を保持するため、チョークコイル５１をブラシホルダ３１に保持するための専用の部品を別途設けなくてもよい。従って、ブラシホルダ３１にチョークコイル５１を組み付けるための組付け工数の増大及び部品点数の増大を抑制することができる。
【００４９】
（２）巻線部５２における第１接続部５３側の端部から突出した突出部５５ａが鉄心保持部６２にて保持されるとともに、第２接続部５４が給電ターミナル６１に接続されている。そのため、給電ターミナル６１は、巻線部５２の軸方向の両側でチョークコイル５１を保持することになる。従って、給電ターミナル６１に対するチョークコイル５１の位置ずれ、及びブラシホルダ３１に対するチョークコイル５１の位置ずれがより抑制される。
【００５０】
（３）鉄心保持部６２は、突出部５５ａを巻線部５２の軸方向と直交する方向に沿って挿入可能に開口した開口部６２ｄを備えた鉄心保持凹部６２ｃを有する。そのため、巻線部５２の軸方向と直交する方向に沿って鉄心５５を移動させることにより容易に突出部５５ａを鉄心保持凹部６２ｃに挿入することができる。従って、鉄心保持部６２への鉄心５５の組付けを容易に行うことができる。
【００５１】
（４）鉄心保持凹部６２ｃの開口部６２ｄは、ブラシホルダ３１の基部３２と対向する方向に開口している。そのため、給電ターミナル６１がブラシホルダ３１に組み付けられた状態において、突出部５５ａは、ブラシホルダ３１と鉄心保持部６２との間に位置することになる。従って、鉄心保持部６２からの突出部５５ａの脱落が抑制される。また、チョークコイル５１を保持した給電ターミナル６１をブラシホルダ３１に組み付けるときに、突出部５５ａが鉄心保持部６２から脱落することを抑制できる。
【００５２】
（５）第１接続部５３は、ピッグテール４３に直接接続されている。従って、第１接続部５３とピッグテール４３との間に接続のための専用の部品が介在されないため、ブラシホルダ３１にチョークコイル５１を組み付けるための組付け工数の増大及び部品点数の増大をより抑制することができる。そして、第１接続部５３を湾曲しやすいフレキシブルなピッグテール４３に直接接続しても、チョークコイル５１は、第２接続部５４と突出部５５ａとが給電ターミナル６１によって保持されているため、モータ１０の内部での位置ずれが抑制される。
【００５３】
（６）給電ターミナル６１は、金属板材から形成されているため、導線からなるピッグテール４３よりも剛性が高く変形し難い。また、チョークコイル５１の鉄心５５は、第１接続部５３側で鉄心保持部６２によって鉄心５５の径方向（巻線部５２の径方向）の移動が規制されて保持されている。そして、巻線部５２における第１接続部５３とは反対側の軸方向の端部から延びる第２接続部５４が、給電ターミナル６１に溶接により接続されている。従って、モータ１０の駆動時の振動等によって給電ターミナル６１に対してチョークコイル５１が位置ずれすることが抑制されている。よって、第２接続部５４と給電ターミナル６１との接続部分に負荷がかかることが抑制されるため、第２接続部５４と給電ターミナル６１との接続不良の発生を抑制できる。
【００５４】
（７）本実施形態では、ブラシ装置１３を製造するときには、各給電ターミナル６１にチョークコイル５１を組み付けてチョークコイル５１を給電ターミナル６１にて保持した後に、チョークコイル５１を保持した給電ターミナル６１を基部３２（ブラシホルダ３１）に組み付ける。給電ターミナル６１に対するチョークコイル５１の位置ずれが抑制されているため、ブラシホルダ３１にチョークコイル５１及び給電ターミナル６１を容易に組み付けることができるとともに、チョークコイル５１を、ブラシホルダ３１に対する所望の組み付け位置、即ちチョークコイル挿入部３５内に巻線部５２が挿入される位置に容易に配置することができる。従って、チョークコイル５１及び給電ターミナル６１がブラシホルダ３１に対して位置ずれした状態で同ブラシホルダ３１に組付けられることを抑制できる。
【００５５】
（８）給電ターミナル６１は位置決め突起６３を有するため、巻線部５２よりも同巻線部５２の軸方向に長い鉄心５５の給電ターミナル６１に対する位置決めを容易に行うことができる。そして、ひいては給電ターミナル６１に対するチョークコイル５１の位置決めを容易に行うことができる。
【００５６】
尚、上記実施形態は、以下のように変更してもよい。
・上記実施形態では、ブラシホルダ３１は、チョークコイル挿入部３５を備えているが、必ずしもチョークコイル挿入部３５を備えなくてもよい。
【００５７】
・上記実施形態では、給電ターミナル６１がブラシホルダ３１に組み付けられた状態において、鉄心保持凹部６２ｃの開口部６２ｄは、ブラシホルダ３１の基部３２と対向する方向に開口している。しかしながら、鉄心保持凹部６２ｃの開口部６２ｄの開口方向はこれに限らない。鉄心保持凹部６２ｃの開口部６２ｄは、鉄心５５の突出部５５ａを挿入可能に開口していればよい。例えば、鉄心保持凹部６２ｃの開口部は、基部３２と反対側に開口していてもよい。このようにしても、上記実施形態の（３）の効果と同様の効果を得ることができる。
【００５８】
・鉄心保持部６２の形状は上記実施形態の形状に限らない。鉄心保持部６２は、突出部５５ａにおける巻線部５２の径方向の移動を規制するように同突出部５５ａを保持する形状であればよい。例えば、鉄心保持部６２は、当該鉄心保持部６２にて突出部５５ａが保持された鉄心５５の軸方向（巻線部５２の軸方向に同じ）から見た形状が、円弧状、Ｕ字状、Ｖ字状及び環状のうちの何れかの形状をなすものであってもよい。
【００５９】
・上記実施形態では、巻線部５２における第１接続部５３側の端部から突出した突出部５５ａが鉄心保持部６２にて保持されるとともに、第２接続部５４が給電ターミナル６１に接続されている。しかしながら、巻線部５２における第２接続部５４側の端部から突出した突出部５５ａが鉄心保持部６２にて保持されるとともに、第１接続部５３が給電ターミナル６１に接続されてもよい。この場合には、第２接続部５４にピッグテール４３が接続される。このようにしても、上記実施形態と同様の効果を得ることができる。
【００６０】
・上記実施形態では、給電ターミナル６１は、巻線部５２の軸方向の両側でチョークコイル５１を保持している。しかしながら、給電ターミナル６１は、巻線部５２の軸方向の一方側となる２箇所でチョークコイル５１を保持してもよい。例えば、第２接続部５４が給電ターミナル６１に接続されるとともに、巻線部５２における第２接続部５４側の端部から突出した突出部５５ａが鉄心保持部６２にて保持されてもよい。逆に、第１接続部５３が給電ターミナル６１に接続されるとともに、巻線部５２における第１接続部５３側の端部から突出した突出部５５ａが鉄心保持部６２にて保持されてもよい。この場合には、第２接続部５４にピッグテール４３が接続される。このようにしても、チョークコイル５１は２箇所で給電ターミナル６１にて保持されることになるため、給電ターミナル６１に対するチョークコイル５１の位置ずれが抑制される。更に、チョークコイル５１を２箇所で保持する給電ターミナル６１がブラシホルダ３１に組み付けられるため、ブラシホルダ３１に対するチョークコイル５１の位置ずれも抑制される。また、ブラシホルダ３１に組み付けられる給電ターミナル６１にてチョークコイル５１を保持するため、チョークコイル５１をブラシホルダ３１に保持するための専用の部品を別途設けなくてもよい。従って、ブラシホルダ３１にチョークコイル５１を組み付けるための組付け工数の増大及び部品点数の増大を抑制することができる。
【００６１】
・給電ターミナル６１の形状は上記実施形態の形状に限らない。給電ターミナル６１は、巻線部５２から軸方向に突出した突出部５５ａを保持する鉄心保持部６２を備えた形状であって、電源に接続されるものであればよい。例えば、給電ターミナル６１は、位置決め突起６３を備えない形状であってもよい。
【００６２】
・上記実施形態では、モータ１０は一対（２つ）の給電ブラシ４１を備えている。しかしながら、モータ１０に備えられる給電ブラシ４１の数はこれに限らず、３つ以上であってもよい。この場合、給電ブラシ４１の数に応じて給電ターミナル６１の数を変更してもよい。
【００６３】
・上記実施形態では、モータ１０は、ポンプ装置の駆動源として用いられている。しかしながら、モータ１０は、ポンプ装置以外の装置の駆動源として用いられてもよい。この場合、回転軸２１は必ずしも偏心軸部２１ａを備えなくてもよい。
【００６４】
・上記実施形態では、ブラシホルダ３１に対するチョークコイル５１の保持態様について言及しなかったが、図５（ａ）〜図５（ｃ）に示すように、チョークコイル５１の巻線部５２をブラシホルダ３１の載置部８１に載置してチョークコイル５１を保持するようにすれば、チョークコイル５１の保持はより安定したものとなる。
【００６５】
・上記実施形態では、給電ターミナル６１に対するチョークコイル５１の鉄心５５の保持が中心であったが、図６（ａ）〜図６（ｃ）に示すようにブラシホルダ３１側と共同して保持を図る態様としてもよく、また図７（ａ）〜図７（ｃ）に示すようにブラシホルダ３１側にて保持を図る態様としてもよい。
【００６６】
例えば図６（ａ）及び図６（ｂ）に示すように、鉄心５５の一端側において、給電ターミナル６１に設けた鉄心保持部６２の鉄心保持凹部６２ｃ内に嵌り込む凸形状をなす鉄心保持部９１をブラシホルダ３１に設け、給電ターミナル６１側の鉄心保持部６２とブラシホルダ３１側の鉄心保持部９１とで鉄心５５の突出部５５ａを挟持し保持してもよい。このようにすれば、チョークコイル５１（鉄心５５）をより安定して保持することができる。
【００６７】
また、鉄心５５の他端側においても、チョークコイル５１の第２接続部５４側の端部から鉄心５５を突出させ、その突出部５５ｂをブラシホルダ３１に設けた鉄心保持部９２にて保持してもよい。この鉄心保持部９２には、凸形状をなすその突出先端部に鉄心５５の下半分が嵌入される保持凹部９２ａが設けられている。このように鉄心５５の他端側も鉄心保持部９２にて保持すれば、チョークコイル５１の保持が一層安定となる。
【００６８】
尚、図６の変更例では図６（ｃ）に示すように、給電ターミナル６１のチョークコイル接続部６５の下面側（ブラシホルダ３１側）に接続凹部９３が設けられ、チョークコイル５１の第２接続部５４がその接続凹部９３に挿入された状態で相互の接続が図られる。第２接続部５４は、チョークコイル接続部６５（接続凹部９３）とブラシホルダ３１とで挟まれることになる。
【００６９】
また図７（ａ）〜図７（ｃ）に示すように、給電ターミナル６１のチョークコイル接続部６５から先の部分を省略し、鉄心５５の両端の突出部５５ａ，５５ｂをそれぞれ保持する鉄心保持部１０１，１０２がブラシホルダ３１に設けられている。この鉄心保持部１０１，１０２は、上記の鉄心保持部９２と同形状をなしており、凸形状をなすその突出先端部に鉄心５５の下半分が嵌入される保持凹部１０１ａ，１０２ａが設けられている。このようにチョークコイル５１（鉄心５５）をブラシホルダ３１側の鉄心保持部１０１，１０２にて保持する態様としてもよい。
【符号の説明】
【００７０】
３１…ブラシホルダ、４１…給電ブラシ、４３…ピッグテール、５１…チョークコイル、５２…巻線部、５３…第１接続部、５４…第２接続部、５５…鉄心、５５ａ，５５ｂ…突出部、６１…給電ターミナル、６２，９１，９２，１０１，１０２…鉄心保持部、６２ｃ…鉄心保持凹部、６２ｄ…開口部、Ｌ２…巻線部の軸方向の長さ。
【図１】
2015043685.tif 000003
【図２】
2015043685.tif 000004
【図３】
2015043685.tif 000005
【図４】
2015043685.tif 000006
【図５】
2015043685.tif 000007
【図６】
2015043685.tif 000008
【図７】
2015043685.tif 000009